(57)【要約】      （修正有）【課題】蓋により、複数の美容針を針台から同時に離脱させることが可能な美容針取扱装置を提供する。【解決手段】握り端１１と、握り端１１の反対側に位置する組付け端１２と、を有し、組付け端１２に針台１３が複数設けられており、針台１３に美容針３０を置くことが可能である本体１０と、被り端２１と、作用端２２と、を有し、被り端２１は組付け端１２に脱着可能に被せることが可能であり、作用端２２は、美容針３０を針台１３から同時に離脱させることが可能である蓋２０と、を含み、被り端２１を組付け端１２に被せると、針台１３が蓋２０の内部に収容される。【選択図】図７
0003201279.tif 000002
【実用新案登録請求の範囲】
【請求項１】
握り端と、前記握り端の反対側に位置する組付け端と、を有し、前記組付け端に針台が複数設けられており、前記針台に美容針を組付け可能である本体と、
被り端と、作用端と、を有し、前記被り端は前記組付け端に脱着可能に被せることが可能であり、前記作用端は、前記美容針を前記針台から同時に離脱させることが可能である蓋と、を含み、
前記被り端を前記組付け端に被せると、前記針台が前記蓋の内部に収容されることを特徴とする、
美容針取扱装置。
【請求項２】
前記作用端には、前記針台にそれぞれ組み合わせ可能な凹みが設けられていることを特徴とする、請求項１に記載の美容針取扱装置。
【請求項３】
前記被り端は前記作用端の反対側に位置し、前記作用端の厚さは、端部に近づくほど薄くなることを特徴とする、請求項２に記載の美容針取扱装置。
【請求項４】
前記蓋の内部に収容空間が設けられており、前記収容空間により、前記針台を収容可能であることを特徴とする、請求項１に記載の美容針取扱装置。
【請求項５】
前記被り端の内面と前記組付け端との間にゴムリングが設けられており、前記被り端の内面に排気溝が複数設けられていることを特徴とする、請求項１に記載の美容針取扱装置。
【考案の詳細な説明】
【技術分野】
【０００１】
本考案は、美容手術用の器材に関し、特に、美容針取扱装置に関するものである。
【背景技術】
【０００２】
特許文献１の中華民国実用新案Ｍ４８０９８５号は美容針取扱装置を提案している。このような美容針取扱装置は、一つの握りセットと、複数の針台と、を含む。握りセットは、握りユニットと、握りユニットに連接されている連接ユニットと、を有する。連接ユニットは少なくとも二つの連接部を有する。各針台は、連接ユニットの連接部に組付けるためのハンドル連接部と、針と連接するための針連接部と、を有する。このような美容針取扱装置により、操作者は美容針取扱装置に複数の美容針を一回で組付け可能であり、美容針の握り及び挿入が便利となる。
【０００３】
しかし、このような美容針取扱装置によれば、美容針を使用した後、操作者は手でこれらの針を針台から取外すことが必要である。そのため、操作者は針に刺される危険性があり、使用された針に患者の血液が残留するため、操作者が患者に伝染される可能性がある。
【先行技術文献】
【特許文献】
【０００４】
【特許文献１】中華民国実用新案Ｍ４８０９８５号公報
【考案の概要】
【考案が解決しようとする課題】
【０００５】
本考案の目的は、蓋により、複数の美容針を針台から同時に離脱させることが可能な美容針取扱装置を提供することにある。
【課題を解決するための手段】
【０００６】
本考案の美容針取扱装置は、握り端と、前記握り端の反対側に位置する組付け端と、を有し、前記組付け端に針台が複数設けられており、前記針台に美容針を組付け可能である本体と、被り端と、作用端と、を有し、前記被り端を前記組付け端に脱着可能に被せることが可能であり、前記作用端は、前記美容針を前記針台から同時に離脱させることが可能である蓋と、を含み、前記被り端が前記組付け端に被さると、前記針台が前記蓋の内部に収容されることを特徴とする。
【０００７】
本考案の美容針取扱装置は、前記作用端には、前記針台にそれぞれ組み合わせ可能な凹みが設けられていることを特徴とする。
【０００８】
本考案の美容針取扱装置は、前記被り端は前記作用端の反対側に位置し、前記作用端の厚さは、端部に近づくほど薄くなることを特徴とする。
【０００９】
本考案の美容針取扱装置は、前記蓋の内部に収容空間が設けられており、前記収容空間により前記針台を収容可能であることを特徴とする。
【００１０】
本考案の美容針取扱装置は、前記被り端の内面と前記組付け端との間にゴムリングが設けられており、前記被り端の内面に排気溝が複数設けられていることを特徴とする。
【考案の効果】
【００１１】
本考案の美容針取扱装置には、次のような効果がある。
（１）操作者は、本体の握り端を容易に握ることが可能であり、組付け端に複数の針台が設けられているため、美容針取扱装置に複数の美容針を一回で組付け可能であり、美容手術の施術に便利である。
【００１２】
（２）美容針取扱装置を使用した後、各針台に蓋の凹みを合わせると、蓋により、針台から、美容針を同時に離脱させることが可能である。このため、操作者が美容針に刺されて患者に伝染されることを回避可能である。
【図面の簡単な説明】
【００１３】
【図１】本考案の一実施の形態を示す外観図である。
【図２】本考案に係る蓋を本体から取外した状態を示す斜視図である。
【図３】本考案に係る蓋を別の視点から見た外観図である。
【図４】図１における４−４線の断面図である。
【図５】図１における５−５線の断面図である。
【図６】本考案に係る針台に美容針を組付けた状態を示す斜視図である。
【図７】本考案の一実施形態の使用状態を示す模式図１であって、針台に蓋の凹みを合わせた状態を示す。
【図８】図７の縦断面図である。
【図９】本考案の一実施形態の使用状態を示す模式図２であって、蓋により針台から美容針を離脱させた状態を示す。
【考案を実施するための形態】
【００１４】
以下、本考案の実施の形態を図面に基づいて説明する。
【００１５】
図１から図６を参照する。図１は本考案の一実施の形態を示す外観図であり、図２は本考案に係る蓋を本体から取外した状態を示す斜視図であり、図３は本考案に係る蓋を別の視点から見た外観図であり、図４は図１における４−４線の断面図であり、図５は図１における５−５線の断面図であり、図６は本考案に係る針台に美容針を組付けた状態を示す斜視図である。
本考案に係る美容針取扱装置１００は、本体１０と、蓋２０と、を含む。
【００１６】
本体１０は、握り端１１と、握り端１１の反対側に位置する組付け端１２と、を有する。本実施の形態では、本体１０が、ほぼ立方体を呈し、二つの第１の辺と、二つの第１の辺の間に位置する二つの第２の辺と、を有する。第１の辺の長さは、第２の辺の長さより大きい。握り端１１は、二つの第１の辺のうちの一つに位置する。組付け端１２は、二つの第１の辺のうちの残りに位置する。
【００１７】
組付け端１２に針台１３が複数設けられている。針台１３に美容針３０を組付け可能である。針台１３は、組付け端１２から、握り端１１から遠ざかった方向へ延び、本体１０の第１の辺に沿って等距離に配列される。針台１３は、円錐状を呈し、美容針３０の円錐状穴３１に組み合わせ可能である。針台１３に美容針３０を組付けた後、美容針３０と組付け端１２との間に隙間がある。
【００１８】
一方、本体１０の両側は、握り端１１と組付け端１２との間に円弧形凹み面１４がそれぞれ設けられている。円弧形凹み面１４は本体１０の二つの第２の辺に位置し、組付け端１２は肩部１５を有し、肩部１５にゴムリング４０が嵌め設けられていることが好ましい。
【００１９】
蓋２０は、被り端２１と、被り端２１の反対側に位置する作用端２２と、を有する。被り端２１は、組付け端１２の肩部１５に脱着可能に組み合わせる。これにより、ゴムリング４０は、被り端２１の内面と組付け端１２との間に位置し、蓋２０が本体１０に安定的に組み合わせ可能である。
被り端２１は複数の排気溝２５を有し、複数の排気溝２５は、図３に示すように、互いに対称するように被り端２１の内面に設けられていることが好ましい。これにより、本体１０に蓋２０を合わせる過程中に、ゴムリング４０と蓋２０との間にある空気をスムーズに排出可能であり、本体１０に蓋２０を容易に合わせ可能である。
【００２０】
蓋２０の被り端２１の内部には収容空間が設けられている。収容空間は、針台１３にそれぞれ対応する収容窪み２３を有する。これらの収容窪み２３により、図４及び図５に示すように、針台１３が蓋２０の内部に収容される。
【００２１】
一方、作用端２２は、その厚さが被り端２１の厚さより小さく、端部に近づくほど薄くなる。作用端２２の外縁には、針台１３にそれぞれ組み合わせ可能な凹み２４が設けられている。これらの凹み２４の位置は、図４に示すように、収容窪み２３の位置にそれぞれ対応する。凹み２４の深さは、収容窪み２３の深さより小さい。
【００２２】
図６から図９を参照する。操作者が美容針取扱装置１００を利用したいときには、まず、本体１０から蓋２０を取外して、各針台１３に美容針３０をそれぞれ組付けた後、図６に示すように、操作者が本体１０の握り端１１を握って、美容手術を行うことが可能である。このとき、二つの円弧形凹み面１４により、操作者は異なる角度で美容手術を行うことが可能である。
【００２３】
美容針取扱装置１００の利用が終了した後、各針台１３に蓋２０の凹み２４をそれぞれ合わせる。このとき、図７及び図８に示すように、蓋２０の作用端２２が、力を受けて、これらの美容針３０と本体１０の組付け端１２との間に差し込まれる。これにより、蓋２０に力を加えると、図９に示すように、針台１３から、使用された美容針３０を同時に離脱させることが可能である。
【００２４】
美容針取扱装置１００によれば、操作者が握り端１１を容易に握ることが可能であり、複数の針台１３を設けることにより、複数の美容針３０を一回で組付けることが可能であるため、美容手術の施術に便利である。
【００２５】
美容針取扱装置１００を使用した後、各針台１３に蓋２０の凹み２４を合わせると、蓋２０により、これらの針台１３から、美容針３０を同時に離脱させることが可能である。このため、操作者が美容針３０に刺されて患者に伝染されることを回避可能である。
【００２６】
本考案は、美容針に適用することができる。
【符号の説明】
【００２７】
１０    本体
１１    握り端
１２    組付け端
１３    針台
１４    円弧形凹み面
１５    肩部
２０    蓋
２１    被り端
２２    作用端
２３    収容窪み
２４    凹み
２５    排気溝
３０    美容針
３１    円錐状穴
４０    ゴムリング
１００  美容針取扱装置
【図１】
0003201279.tif 000003
【図２】
0003201279.tif 000004
【図３】
0003201279.tif 000005
【図４】
0003201279.tif 000006
【図５】
0003201279.tif 000007
【図６】
0003201279.tif 000008
【図７】
0003201279.tif 000009
【図８】
0003201279.tif 000010
【図９】
0003201279.tif 000011
【手続補正書】
【提出日】平成27年9月24日(2015.9.24)
【手続補正１】
【補正対象書類名】実用新案登録請求の範囲
【補正対象項目名】全文
【補正方法】変更
【補正の内容】
【実用新案登録請求の範囲】
【請求項１】
握り端と、前記握り端の反対側に位置する組付け端と、を有し、前記組付け端に針台が複数設けられており、前記針台に美容針を組付け可能である本体と、
被り端と、作用端と、を有し、前記被り端は前記組付け端に脱着可能に被せることが可能である蓋と、を含み、
前記被り端を前記組付け端に被せると、前記針台が前記蓋の内部に収容されることを特徴とする、
美容針取扱装置。
【請求項２】
前記作用端には、前記針台にそれぞれ組み合わせ可能な凹みが設けられていることを特徴とする、請求項１に記載の美容針取扱装置。
【請求項３】
前記被り端は前記作用端の反対側に位置し、前記作用端の厚さは、端部に近づくほど薄くなることを特徴とする、請求項２に記載の美容針取扱装置。
【請求項４】
前記蓋の内部に収容空間が設けられており、前記収容空間により、前記針台を収容可能であることを特徴とする、請求項１に記載の美容針取扱装置。
【請求項５】
前記被り端の内面と前記組付け端との間にゴムリングが設けられており、前記被り端の内面に排気溝が複数設けられていることを特徴とする、請求項１に記載の美容針取扱装置。